(57)【特許請求の範囲】
【請求項１】
基地局であって、
前記基地局及びコアネットワークノードの一方が他方に通知するトンネルエンドポイント識別子を取得する情報取得部と、
無線ローカルエリアネットワーク経由での通信に用いられるゲートウェイに、前記トンネルエンドポイント識別子を通知する第１通信処理部と、
を備える基地局。
【請求項２】
前記トンネルエンドポイント識別子は、前記基地局が前記コアネットワークノードに通知する前記基地局側のトンネルエンドポイント識別子である、請求項１に記載の基地局。
【請求項３】
前記トンネルエンドポイント識別子を含むヘッダと端末装置宛のデータとを含むパケットをコアネットワークから受信する第２通信処理部をさらに備え、
前記第１通信処理部は、前記ヘッダと前記データとを含む前記パケットを前記ゲートウェイへ送信する、
請求項１又は２に記載の基地局。
【請求項４】
前記トンネルエンドポイント識別子は、前記基地局を経由せずにコアネットワークから前記ゲートウェイへ送信されるパケットに含められる識別子である、請求項１又は２に記載の基地局。
【請求項５】
前記トンネルエンドポイント識別子は、前記コアネットワークノードが前記基地局に通知するコアネットワーク側のトンネルエンドポイント識別子である、請求項１に記載の基地局。
【請求項６】
前記第１通信処理部は、前記トンネルエンドポイント識別子を含むヘッダと端末装置からのデータとを含むパケットを前記ゲートウェイから受信し、
前記基地局は、前記ヘッダと前記データとを含む前記パケットをコアネットワークへ送信する第２通信処理部をさらに備える、
請求項１又は５に記載の基地局。
【請求項７】
前記トンネルエンドポイント識別子は、前記基地局を経由せずに前記ゲートウェイからコアネットワークへ送信されるパケットに含められる識別子である、請求項１又は５に記載の基地局。
【請求項８】
ゲートウェイであって、
無線ローカルエリアネットワーク経由で端末装置と通信する第１通信処理部と、
基地局及びコアネットワークノードの一方が他方に通知し、且つ前記基地局が前記ゲートウェイに通知するトンネルエンドポイント識別子に基づいて、前記トンネルエンドポイント識別子を含むヘッダを含むパケットを送信し又は受信する第２通信処理部と、
を備えるゲートウェイ。
【請求項９】
基地局において、
前記基地局及びコアネットワークノードの一方が他方に通知するトンネルエンドポイント識別子を取得することと、
無線ローカルエリアネットワーク経由での通信に用いられるゲートウェイに、前記トンネルエンドポイント識別子を通知することと、
を含む方法。
【請求項１０】
ゲートウェイにおいて、
無線ローカルエリアネットワーク経由で端末装置と通信することと、
基地局及びコアネットワークノードの一方が他方に通知し、且つ前記基地局が前記ゲートウェイに通知するトンネルエンドポイント識別子に基づいて、前記トンネルエンドポイント識別子を含むヘッダを含むパケットを送信し又は受信することと、
を含む方法。
【発明の詳細な説明】
【技術分野】
【０００１】
本発明は、基地局、ゲートウェイ、装置、方法、プログラム及び記録媒体に関する。
【背景技術】
【０００２】
現在、３ＧＰＰ（Third  Generation  Partnership  Project）では、ｅＮＢ（evolved  Node  B）と無線ローカルエリアネットワークアクセスポイント（Wireless  Local  Area  Network  Access  Point：ＷＬＡＮ−ＡＰ）との両方を利用したデータ伝送方式としてＬＷＩＰ（LTE/WLAN  Radio  Level  Integration  with  IPsec  Tunnel）の検討が進められている。【０００３】
３ＧＰＰ  Ｒｅｌｅａｓｅ−１３及びＲｅｌｅａｓｅ−１４では、Ｅ−ＵＴＲＡＮ（Evolved  Universal  Terrestrial  Radio  Access  Network）とＥＰＣ（Evolved  Packet  Core）との間のＵ−ｐｌａｎｅのインタフェースであるＳ１−ＵはｅＮＢで終端し、ｅＮＢがＬＷＩＰ−ＳｅＧＷ（Security  Gateway）とデータを送受信する。Ｓ１−Ｕには、ＧＴＰ−Ｕ（GPRS  Tunneling  Protocol  for  User  Plane）が用いられる。また、ｅＮＢとＬＷＩＰ−ＳｅＧＷとの間でのデータの送受信には、ＧＲＥ（Generic  Routing  Encapsulation）又はＧＴＰ−Ｕ（GPRS  Tunneling  Protocol  for  User  Plane）等のフレームプロトコルが用いられる。【０００４】
例えば、非特許文献１、２には、ＬＷＩＰに関する技術が開示されている。具体的には、非特許文献１、２には、ＬＷＩＰについてのプロトコルスタックが開示されている。【０００５】
例えば、特許文献１、２には、ＷＬＡＮ−ＡＰに接続されるゲートウェイ又はＷＬＡＮ−ＡＰ自身がＧＴＰ−Ｕプロトコルを用いてコアネットワークノードと通信することが開示されている。
【先行技術文献】
【特許文献】
【０００６】
【特許文献１】特表２０１６−５０７９９３号公報
【特許文献２】特表２００５−５２９５６０号公報
【非特許文献】
【０００７】
【非特許文献１】3GPP  TS  36.300  V13.4.0  (2016-06)“3rd  Generation  Partnership  Project;  Technical  Specification  Group  Radio  Access  Network;  Evolved  Universal  Terrestrial  Radio  Access  (E-UTRA)  and  Evolved  Universal  Terrestrial  Radio  Access  Network  (E-UTRAN);Overall  description;  Stage  2  (Release  13)”
【非特許文献２】3GPP  TS  33.401  V13.3.0  (2016-06)  “3rd  Generation  Partnership  Project;  Technical  Specification  Group  Services  and  System  Aspects;  3GPP  System  Architecture  Evolution  (SAE);  Security  architecture  (Release  13)”
【発明の概要】
【発明が解決しようとする課題】
【０００８】
例えば、非特許文献２に開示されているように、Ｓ１−Ｕの終端がｅＮＢであり、ｅＮＢとＬＷＩＰ−ＳｅＧＷとの間でのデータの送受信にＧＲＥ又はＧＴＰ−Ｕが用いられる場合には、ｅＮＢは、データの転送の度にヘッダを付け替えることになる。具体的には、例えばダウンリンクでは、ｅＮＢは、コアネットワークから受信したパケットのヘッダ（ＧＴＰ−Ｕのヘッダ）を、別のヘッダ（ＧＲＥ又はＧＴＰ−Ｕのヘッダ）に付け替えることになる。また、例えばアップリンクでは、ｅＮＢは、ＬＷＩＰ−ＧＷから受信したパケットのヘッダ（ＧＲＥ又はＧＴＰ−Ｕのヘッダ）を、別のヘッダ（ＧＴＰ−Ｕのヘッダ）に付け替えることになる。そのため、データ転送についてのｅＮＢの処理負荷が大きくなり得る。また、ｅＮＢとＬＷＩＰ−ＳｅＧＷとがＧＴＰ−ＵのＴＥＩＤ（Tunnel  Endpoint  Identifier）又はＧＲＥのｋｅｙを交換するので、このような交換についてのｅＮＢの処理負荷も大きくなり得る。このように、ｅＮＢの処理負荷が大きくなることが懸念される。【０００９】
また、例えば、特許文献１、２に開示されているように、ＷＬＡＮ−ＡＰに接続されるゲートウェイ又はＷＬＡＮ−ＡＰ自身がＧＴＰ−Ｕプロトコルを用いてコアネットワークノードと通信する場合には、コアネットワークノードは、ゲートウェイ又はＷＬＡＮ−ＡＰともＴＥＩＤを交換することになる。そのため、コアネットワークノードへの負荷が大きくなり得る。とりわけ、ＵＥ（User  Equipment）が基地局（ｅＮＢ又はＮＢ）とＷＬＡＮ−ＡＰの両方と通信する場合には、基地局とＷＬＡＮ−ＡＰの両方についてＴＥＩＤの交換が行われ、コアネットワークノードの負荷が大きくなり得る。このように、コアネットワークに大きな影響が与えられ得る。【００１０】
本発明の目的は、ＷＬＡＮ経由でのデータの送受信のケースにおいてコアネットワークへの影響を抑えつつ基地局の処理負荷を軽減することを可能にすることにある。
【課題を解決するための手段】
【００１１】
本発明の基地局は、上記基地局及びコアネットワークノードの一方が他方に通知するトンネルエンドポイント識別子を取得する情報取得部と、無線ローカルエリアネットワーク経由での通信に用いられるゲートウェイに、上記トンネルエンドポイント識別子を通知する第１通信処理部と、を備える。【００１２】
本発明のゲートウェイは、無線ローカルエリアネットワーク経由で端末装置と通信する第１通信処理部と、基地局及びコアネットワークノードの一方が他方に通知し、且つ上記基地局が上記ゲートウェイに通知するトンネルエンドポイント識別子に基づいて、上記トンネルエンドポイント識別子を含むヘッダを含むパケットを送信し又は受信する第２通信処理部と、を備える。【００１３】
本発明の第１の方法は、基地局及びコアネットワークノードの一方が他方に通知するトンネルエンドポイント識別子を取得することと、無線ローカルエリアネットワーク経由での通信に用いられるゲートウェイに、上記トンネルエンドポイント識別子を通知することと、を含む。【００１４】
本発明の第１のプログラムは、基地局及びコアネットワークノードの一方が他方に通知するトンネルエンドポイント識別子を取得することと、無線ローカルエリアネットワーク経由での通信に用いられるゲートウェイに、上記トンネルエンドポイント識別子を通知することと、をプロセッサに実行させるためのプログラムである。【００１５】
本発明の第１の記録媒体は、基地局及びコアネットワークノードの一方が他方に通知するトンネルエンドポイント識別子を取得することと、無線ローカルエリアネットワーク経由での通信に用いられるゲートウェイに、上記トンネルエンドポイント識別子を通知することと、をプロセッサに実行させるためのプログラムを記録したコンピュータに読み取り可能な非一時的記録媒体である。【００１６】
本発明の第１の装置は、基地局及びコアネットワークノードの一方が他方に通知するトンネルエンドポイント識別子を取得する情報取得部と、無線ローカルエリアネットワーク経由での通信に用いられるゲートウェイに、上記トンネルエンドポイント識別子を通知する第１通信処理部と、を備える。【００１７】
本発明の第２の装置は、プログラムを記憶するメモリと、上記プログラムを実行可能な１つ以上のプロセッサと、を備え、上記プログラムは、基地局及びコアネットワークノードの一方が他方に通知するトンネルエンドポイント識別子を取得することと、無線ローカルエリアネットワーク経由での通信に用いられるゲートウェイに、上記トンネルエンドポイント識別子を通知することと、をプロセッサに実行させるためのプログラムである。【００１８】
本発明の第３の装置は、メモリと、１つ以上のプロセッサと、を備え、上記１つ以上のプロセッサは、基地局及びコアネットワークノードの一方が他方に通知するトンネルエンドポイント識別子を取得し、無線ローカルエリアネットワーク経由での通信に用いられるゲートウェイに、上記トンネルエンドポイント識別子を通知する。【００１９】
本発明の第２の方法は、無線ローカルエリアネットワーク経由で端末装置と通信することと、基地局及びコアネットワークノードの一方が他方に通知し、且つ上記基地局がゲートウェイに通知するトンネルエンドポイント識別子に基づいて、上記トンネルエンドポイント識別子を含むヘッダを含むパケットを送信し又は受信することと、を含む。【００２０】
本発明の第２のプログラムは、無線ローカルエリアネットワーク経由で端末装置と通信することと、基地局及びコアネットワークノードの一方が他方に通知し、且つ上記基地局がゲートウェイに通知するトンネルエンドポイント識別子に基づいて、上記トンネルエンドポイント識別子を含むヘッダを含むパケットを送信し又は受信することと、をプロセッサに実行させるためのプログラムである。【００２１】
本発明の第２の記録媒体は、無線ローカルエリアネットワーク経由で端末装置と通信することと、基地局及びコアネットワークノードの一方が他方に通知し、且つ上記基地局がゲートウェイに通知するトンネルエンドポイント識別子に基づいて、上記トンネルエンドポイント識別子を含むヘッダを含むパケットを送信し又は受信することと、をプロセッサに実行させるためのプログラムを記録したコンピュータに読み取り可能な非一時的記録媒体である。【００２２】
本発明の第４の装置は、無線ローカルエリアネットワーク経由で端末装置と通信する第１通信処理部と、基地局及びコアネットワークノードの一方が他方に通知し、且つ上記基地局がゲートウェイに通知するトンネルエンドポイント識別子に基づいて、上記トンネルエンドポイント識別子を含むヘッダを含むパケットを送信し又は受信する第２通信処理部と、を備える。【００２３】
本発明の第５の装置は、プログラムを記憶するメモリと、上記プログラムを実行可能な１つ以上のプロセッサと、を備え、上記プログラムは、無線ローカルエリアネットワーク経由で端末装置と通信することと、基地局及びコアネットワークノードの一方が他方に通知し、且つ上記基地局がゲートウェイに通知するトンネルエンドポイント識別子に基づいて、上記トンネルエンドポイント識別子を含むヘッダを含むパケットを送信し又は受信することと、をプロセッサに実行させるためのプログラムである。【００２４】
本発明の第６の装置は、メモリと、１つ以上のプロセッサと、を備え、上記１つ以上のプロセッサは、無線ローカルエリアネットワーク経由で端末装置と通信し、基地局及びコアネットワークノードの一方が他方に通知し、且つ上記基地局がゲートウェイに通知するトンネルエンドポイント識別子に基づいて、上記トンネルエンドポイント識別子を含むヘッダを含むパケットを送信し又は受信する。
【発明の効果】
【００２５】
本発明によれば、ＷＬＡＮ経由でのデータの送受信のケースにおいてコアネットワークへの影響を抑えつつ基地局の処理負荷を軽減することが可能になる。なお、本発明により、当該効果の代わりに、又は当該効果とともに、他の効果が奏されてもよい。
【図面の簡単な説明】
【００２６】
【図１】３ＧＰＰで想定されているＬＷＩＰのネットワーク構成の例を説明するための説明図である。
【図２】３ＧＰＰ  Ｒｅｌｅａｓｅ−１３で想定されているＬＷＩＰのプロトコルスタックの例を説明するための説明図である。
【図３】３ＧＰＰ  Ｒｅｌｅａｓｅ−１４で想定されているＬＷＩＰのプロトコルスタックの例を説明するための説明図である。
【図４】本発明の実施形態に係るシステムの概略的な構成の一例を示す説明図である。
【図５】第１の実施形態に係る基地局の概略的な構成の例を示すブロック図である。
【図６】第１の実施形態に係るゲートウェイの概略的な構成の例を示すブロック図である。
【図７】第１の実施形態のプロトコルスタックの例を説明するための説明図である。
【図８】第１の実施形態に係る処理の概略的な流れの例を説明するためのシーケンス図である。
【図９】第１の実施形態の変形例のプロトコルスタックの第１の例を説明するための説明図である。
【図１０】第１の実施形態の変形例のプロトコルスタックの第２の例を説明するための説明図である。
【図１１】第２の実施形態に係る基地局の概略的な構成の例を示すブロック図である。
【図１２】第２の実施形態に係るゲートウェイの概略的な構成の例を示すブロック図である。
【発明を実施するための形態】
【００２７】
以下、添付の図面を参照して本発明の実施形態を詳細に説明する。なお、本明細書及び図面において、同様に説明されることが可能な要素については、同一の符号を付することにより重複説明が省略され得る。
【００２８】
説明は、以下の順序で行われる。
１．関連技術
２．本発明の実施形態の概要
３．本発明の実施形態に係るシステムの構成
４．第１の実施形態
４．１．基地局の構成
４．２．ゲートウェイの構成
４．３．技術的特徴
４．４．変形例
５．第２の実施形態
５．１．基地局の構成
５．２．ゲートウェイの構成
５．３．技術的特徴
【００２９】
＜＜１．関連技術＞＞
図１〜図３を参照して、本実施形態に関連する技術としてＬＷＩＰを説明する。
【００３０】
現在、３ＧＰＰでは、ｅＮＢとＷＬＡＮ−ＡＰとの両方を利用したデータ伝送方式としてＬＷＩＰの検討が進められている。
【００３１】
図１は、３ＧＰＰで想定されているＬＷＩＰのネットワーク構成の例を説明するための説明図である。図１を参照すると、ｅＮＢ１０、ＬＷＩＰ−ＳｅＧＷ２０、ＷＬＡＮ−ＡＰ３０、ＵＥ４０、ＭＭＥ（Mobility  Management  Entity）５１及びＳ−ＧＷ（Serving  Gateway）５２が示されている。ＬＷＩＰでは、ｅＮＢ１０とＵＥ４０とは、Ｕｕインタフェースにおいてデータを送受信できるとともに、ＬＷＩＰ−ＳｅＧＷ２０及びＷＬＡＮ−ＡＰ３０経由でデータを送受信することができる。ＬＷＩＰ−ＳｅＧＷ２０は、ＷＬＡＮ経由でのデータの送受信のためにＩＰｓｅｃ（Security  Architecture  for  Internet  Protocol）トンネルを提供する。また、Ｅ−ＵＴＲＡＮとＥＰＣ５０との間のインタフェースであるＳ１（Ｕ−ｐｌａｎｅのＳ１−Ｕ及びＣ−ｐｌａｎｅのＳ１−Ｃ）はｅＮＢで終端する。
【００３２】
図２は、３ＧＰＰ  Ｒｅｌｅａｓｅ−１３で想定されているＬＷＩＰのプロトコルスタックの例を説明するための説明図である。ＬＷＩＰ−ＳｅＧＷ２０とＵＥ４０の間では、ＥＳＰ（Encapsulating  Security  Payload）を用いてデータが送受信される。また、ｅＮＢ１０とＬＷＩＰ−ＳｅＧＷ２０との間では、新たなプロトコル（New  protocol）を用いてデータが送受信される。例えば、当該新たなプロトコルは、ＧＲＥ又はＧＴＰ−Ｕ、及びＵＤＰ（User  Datagram  Protocol）である。さらに、アップリンクについては、ｅＮＢ１０とＵＥ４０との間で、ＬＷＩＰＥＰを用いてアップリンクデータが送受信される。即ち、ＵＥ４０は、ＷＬＡＮ経由で送信するアップリンクデータにＬＷＩＰＥＰヘッダを付与する。当該アップリンクデータを受信するｅＮＢ１０は、当該ＬＷＩＰＥＰヘッダから、上記アップリンクデータに対応するベアラを識別する。なお、例えば、ＬＷＩＰＥＰもＧＲＥ又はＧＴＰ−Ｕにより実装され得る。
【００３３】
図３は、３ＧＰＰ  Ｒｅｌｅａｓｅ−１４で想定されているＬＷＩＰのプロトコルスタックの例を説明するための説明図である。とりわけＲｅｌｅａｓｅ−１４では、ＬＷＩＰ−ＳｅＧＷ２０とＵＥ４０との間で、ＬＷＩＰＥＰを用いてアップリンクデータが送受信される。また、ｅＮＢ１０とＬＷＩＰ−ＳｅＧＷ２０との間では、新たなプロトコル（例えば、ＧＲＥ又はＧＴＰ−Ｕ、及びＵＤＰ）を用いてデータが送受信される。
【００３４】
＜＜２．本発明の実施形態の概要＞＞
（１）技術的課題
例えば、3GPP  TS  33.401  V13.3.0に開示されているように、Ｓ１−Ｕの終端がｅＮＢであり、ｅＮＢとＬＷＩＰ−ＳｅＧＷとの間でのデータの送受信にＧＲＥ又はＧＴＰ−Ｕが用いられる場合には、ｅＮＢは、データの転送の度にヘッダを付け替えることになる。具体的には、例えばダウンリンクでは、ｅＮＢは、コアネットワークから受信したパケットのヘッダ（ＧＴＰ−Ｕのヘッダ）を、別のヘッダ（ＧＲＥ又はＧＴＰ−Ｕのヘッダ）に付け替えることになる。また、例えばアップリンクでは、ｅＮＢは、ＬＷＩＰ−ＧＷから受信したパケットのヘッダ（ＧＲＥ又はＧＴＰ−Ｕのヘッダ）を、別のヘッダ（ＧＴＰ−Ｕのヘッダ）に付け替えることになる。そのため、データ転送についてのｅＮＢの処理負荷が大きくなり得る。また、ｅＮＢとＬＷＩＰ−ＳｅＧＷとがＧＴＰ−ＵのＴＥＩＤ又はＧＲＥのｋｅｙを交換するので、このような交換についてのｅＮＢの処理負荷も大きくなり得る。このように、ｅＮＢの処理負荷が大きくなることが懸念される。
【００３５】
また、例えば、特表２０１６−５０７９９３号公報及び特表２００５−５２９５６０号公報等に開示されているように、ＷＬＡＮ−ＡＰに接続されるゲートウェイ又はＷＬＡＮ−ＡＰ自身がＧＴＰ−Ｕプロトコルを用いてコアネットワークノードと通信する場合には、コアネットワークノードは、ゲートウェイ又はＷＬＡＮ−ＡＰともＴＥＩＤを交換することになる。そのため、コアネットワークノードへの負荷が大きくなり得る。とりわけ、ＵＥが基地局（ｅＮＢ又はＮＢ）とＷＬＡＮ−ＡＰの両方と通信する場合には、基地局とＷＬＡＮ−ＡＰの両方についてＴＥＩＤの交換が行われ、コアネットワークノードの負荷が大きくなり得る。このように、コアネットワークに大きな影響が与えられる。
【００３６】
本発明の実施形態の目的は、ＷＬＡＮ経由でのデータの送受信のケースにおいてコアネットワークへの影響を抑えつつ基地局の処理負荷を軽減することを可能にすることにある。
【００３７】
（２）技術的特徴
本発明の実施形態によれば、例えば、基地局（ｅＮＢ）は、基地局及びコアネットワークノード（ＭＭＥ）の一方が他方に通知するＴＥＩＤを、ＷＬＡＮ経由での通信に用いられるゲートウェイ（ＬＷＩＰ−ＳｅＧＷ）に通知する。
【００３８】
一方、上記ゲートウェイ（ＬＷＩＰ−ＳｅＧＷ）は、上記ＴＥＩＤに基づいて、上記ＴＥＩＤを含むヘッダを含むパケットを送信し又は受信する。
【００３９】
これにより、例えば、ＷＬＡＮ経由でのデータの送受信のケースにおいてコアネットワーク（ＥＰＣ）への影響を抑えつつ基地局（ｅＮＢ）の処理負荷を軽減することが可能になる。
【００４０】
なお、上述した技術的特徴は本発明の実施形態の具体的な一例であり、当然ながら、本実施形態は上述した技術的特徴に限定されない。
【００４１】
＜＜３．本発明の実施形態に係るシステムの構成＞＞
図４を参照して、本実施形態に係るシステム１の構成の例を説明する。図４は、本発明の実施形態に係るシステム１の概略的な構成の一例を示す説明図である。図４を参照すると、システム１は、基地局１００、ゲートウェイ２００、ＷＬＡＮ−ＡＰ３００、端末装置４００及びコアネットワーク５００を含む。
【００４２】
例えば、システム１は、３ＧＰＰの規格（standard）に準拠したシステムである。より具体的には、システム１は、ＬＴＥ／ＬＴＥ−Ａｄｖａｎｃｅｄ及び／又はＳＡＥ（System  Architecture  Evolution）に準拠したシステムであってもよい。あるいは、システム１は、第５世代（５Ｇ）の規格に準拠したシステムであってもよい。当然ながら、システム１は、これらの例に限定されない。
【００４３】
（１）基地局１００
基地局１００は、端末装置との無線通信を行うノードであり、換言すると無線アクセスネットワーク（Radio  Access  Network：ＲＡＮ）のノードである。例えば、基地局１００は、ｅＮＢであってもよく、又は、５ＧにおけるｇＮＢ（generation  Node  B）であってもよい。基地局１００は、複数のユニット（又は複数のノード）を含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。一例として、上記第１ユニットは、中央ユニット（Center/Central  Unit：ＣＵ）と呼ばれてもよく、上記第２のユニットは、分散ユニット（Distributed  Unit：ＤＵ）又はアクセスユニット（Access  Unit：ＡＵ）と呼ばれてもよい。別の例として、上記第１ユニットは、デジタルユニット（Digital  Unit：ＤＵ）と呼ばれてもよく、上記第２ユニットは、無線ユニット（Radio  Unit：ＲＵ）又はリモートユニット（Remote  Unit：ＲＵ）と呼ばれてもよい。上記ＤＵ（Digital  Unit）は、ＢＢＵ（Base  Band  Unit）であってもよく、上記ＲＵは、ＲＲＨ（Remote  Radio  Head）又はＲＲＵ（Remote  Radio  Unit）であってもよい。当然ながら、上記第１ユニット（又は第１のノード）及び上記第２ユニット（又は第２のノード）の呼称は、この例に限定されない。あるいは、基地局１００は、単一のユニット（又は単一のノード）であってもよい。この場合に、基地局１００は、上記複数のユニットのうちの１つ（例えば、上記第１ユニット及び上記第２ユニットの一方）であってもよく、上記複数のユニットのうちの他のユニット（例えば、上記第１ユニット及び上記第２ユニットの他方）と接続されていてもよい。
【００４４】
とりわけ、本実施形態では、基地局１００は、無線で（例えばＵｕインタフェースにおいて）端末装置４００とデータを送受信することができるとともに、ゲートウェイ２００及びＷＬＡＮ−ＡＰ３００経由で端末装置４００とデータを送受信することができる。具体的には、例えば、基地局１００は、ＬＷＩＰの動作を行うことができる。
【００４５】
（２）ゲートウェイ２００
ゲートウェイ２００は、ＷＬＡＮ経由での通信に用いられるゲートウェイであり、基地局１００とＷＬＡＮ−ＡＰ３００及び端末装置４００との間に位置する。
【００４６】
例えば、ゲートウェイ２００は、ＷＬＡＮ経由での通信のセキュリティを確保するためのセキュリティゲートウェイである。例えば、ゲートウェイ２００は、ＷＬＡＮ経由での通信のためにセキュリティトンネル（例えば、ＩＰｓｅｃトンネル）を提供する。より具体的には、例えば、ゲートウェイ２００は、ＬＷＩＰ−ＳｅＧＷである。
【００４７】
（３）ＷＬＡＮ−ＡＰ３００
ＷＬＡＮ−ＡＰ３００は、ＷＬＡＮのアクセスポイントであり、ＩＥＥＥ  ８０２.１１シリーズ（ＩＥＥＥ  ８０２.１１ｂ／１１ａ／１１ｇ／１１ｎ／１１ａｃ等）のうちの１つ以上に従って端末装置（例えば端末装置４００）との無線通信を行う。
【００４８】
（４）端末装置４００
端末装置４００は、基地局との無線通信を行う。例えば、端末装置４００は、基地局１００のカバレッジエリア内に位置する場合に、基地局１００との無線通信を行う。例えば、端末装置４００は、ＵＥである。
【００４９】
とりわけ、本実施形態では、端末装置４００は、無線で（例えばＵｕインタフェースにおいて）基地局１００とデータを送受信することができるとともに、ＷＬＡＮ−ＡＰ３００及びゲートウェイ２００経由で基地局１００とデータを送受信することができる。具体的には、例えば、端末装置４００は、ＬＷＩＰの動作を行うことができる。
【００５０】
（５）コアネットワーク５００
コアネットワーク５００は、第１コアネットワークノード５１０及び第２コアネットワークノード５２０を含む。
【００５１】
第１コアネットワークノード５１０は、Ｃ−ｐｌａｎｅの処理を担うノードである。例えば、第１コアネットワークノード５１０は、基地局１００へ制御メッセージを送信し、基地局１００から制御メッセージを受信する。
【００５２】
第２コアネットワークノード５２０は、Ｕ−ｐｌａｎｅの処理を担うノードである。例えば、第２コアネットワークノード５２０は、データパケット（データを含むパケット）を基地局１００へ送信し、データパケットを基地局１００から受信する。
【００５３】
例えば、コアネットワーク５００はＥＰＣであり、第１コアネットワークノード５１０はＭＭＥであり、第２コアネットワークノード５２０はＳ−ＧＷである。
【００５４】
＜＜４．第１の実施形態＞＞
続いて、図５〜図１０を参照して、本発明の第１の実施形態を説明する。
【００５５】
＜４．１．基地局の構成＞
まず、図５を参照して、第１の実施形態に係る基地局１００の構成の例を説明する。図５は、第１の実施形態に係る基地局１００の概略的な構成の例を示すブロック図である。図５を参照すると、基地局１００は、無線通信部１１０、ネットワーク通信部１２０、記憶部１３０及び処理部１４０を備える。
【００５６】
（１）無線通信部１１０
無線通信部１１０は、信号を無線で送受信する。例えば、無線通信部１１０は、端末装置からの信号を受信し、端末装置への信号を送信する。
【００５７】
（２）ネットワーク通信部１２０
ネットワーク通信部１２０は、ネットワークから信号を受信し、ネットワークへ信号を送信する。
【００５８】
（３）記憶部１３０
記憶部１３０は、基地局１００の動作のためのプログラム及びパラメータ、並びに様々なデータを、一時的に又は恒久的に記憶する。
【００５９】
（４）処理部１４０
処理部１４０は、基地局１００の様々な機能を提供する。処理部１４０は、情報取得部１４１、第１通信処理部１４３、第２通信処理部１４５、第３通信処理部１４７及び制御部１４９を含む。なお、処理部１４０は、これらの構成要素以外の他の構成要素をさらに含み得る。即ち、処理部１４０は、これらの構成要素の動作以外の動作も行い得る。情報取得部１４１、第１通信処理部１４３、第２通信処理部１４５、第３通信処理部１４７及び制御部１４９の具体的な動作は、後に詳細に説明する。
【００６０】
例えば、処理部１４０（第１通信処理部１４３）は、ネットワーク通信部１２０を介してゲートウェイ２００と通信する。例えば、処理部１４０（第２通信処理部１４５）は、ネットワーク通信部１２０を介してコアネットワークノード（例えば、第１コアネットワークノード５１０又は第２コアネットワークノード５２０）と通信する。例えば、処理部１４０（第３通信処理部１４７）は、無線通信部１１０を介して端末装置（例えば、端末装置４００）と通信する。
【００６１】
（５）実装例
無線通信部１１０は、アンテナ及び高周波（Radio  Frequency：ＲＦ）回路等により実装されてもよい。ネットワーク通信部１２０は、ネットワークアダプタ又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Baseband：ＢＢ）プロセッサ及び／又は他のプロセッサ等により実装されてもよい。情報取得部１４１、第１通信処理部１４３、第２通信処理部１４５、第３通信処理部１４７及び制御部１４９は、同一のプロセッサにより実装されてもよく、別々に異なるプロセッサにより実装されてもよい。上記メモリ（記憶部１３０）は、このようなプロセッサ（チップ）内に含まれてもよい。
【００６２】
基地局１００は、プログラムを記憶するメモリと、当該プログラムを実行可能な１つ以上のプロセッサとを含んでもよく、当該１つ以上のプロセッサは、処理部１４０の動作（情報取得部１４１、第１通信処理部１４３、第２通信処理部１４５、第３通信処理部１４７及び制御部１４９）を行ってもよい。上記プログラムは、処理部１４０の動作（情報取得部１４１、第１通信処理部１４３、第２通信処理部１４５、第３通信処理部１４７及び制御部１４９の動作）をプロセッサに実行させるためのプログラムであってもよい。
【００６３】
＜４．２．ゲートウェイの構成＞
次に、図６を参照して、第１の実施形態に係るゲートウェイ２００の構成の例を説明する。図６は、第１の実施形態に係るゲートウェイ２００の概略的な構成の例を示すブロック図である。図６を参照すると、ゲートウェイ２００は、ネットワーク通信部２１０、記憶部２２０及び処理部２３０を備える。
【００６４】
（１）ネットワーク通信部２１０
ネットワーク通信部２１０は、ネットワークから信号を受信し、ネットワークへ信号を送信する。
【００６５】
（２）記憶部２２０
記憶部２２０は、ゲートウェイ２００の動作のためのプログラム及びパラメータ、並びに様々なデータを、一時的に又は恒久的に記憶する。
【００６６】
（３）処理部２３０
処理部２３０は、ゲートウェイ２００の様々な機能を提供する。処理部２３０は、第１通信処理部２３１及び第２通信処理部２３３を含む。なお、処理部２３０は、これらの構成要素以外の他の構成要素をさらに含み得る。即ち、処理部２３０は、これらの構成要素の動作以外の動作も行い得る。第１通信処理部２３１及び第２通信処理部２３３の具体的な動作は、後に詳細に説明する。
【００６７】
例えば、処理部２３０は、ネットワーク通信部２１０を介して他のノードと通信する。具体的には、例えば、処理部２３０（第１通信処理部２３１）は、ネットワーク通信部２１０を介して、ＷＬＡＮ（ＷＬＡＮ−ＡＰ３００）経由で端末装置４００と通信する。また、例えば、処理部２３０（第２通信処理部２３３）は、ネットワーク通信部２１０を介して基地局１００（又はコアネットワークノード）と通信する。
【００６８】
（４）実装例
ネットワーク通信部２１０は、ネットワークアダプタ又はネットワークインタフェースカード等により実装されてもよい。記憶部２２０は、メモリ（例えば、不揮発性メモリ及び／若しくは揮発性メモリ）並びに／又はハードディスク等により実装されてもよい。処理部２３０は、プロセッサ等により実装されてもよい。第１通信処理部２３１及び第２通信処理部２３３は、同一のプロセッサにより実装されてもよく、別々に異なるプロセッサにより実装されてもよい。上記メモリ（記憶部２２０）は、このようなプロセッサ（チップ）内に含まれてもよい。
【００６９】
ゲートウェイ２００は、プログラムを記憶するメモリと、当該プログラムを実行可能な１つ以上のプロセッサとを含んでもよく、当該１つ以上のプロセッサは、処理部２３０の動作（第１通信処理部２３１及び第２通信処理部２３３の動作）を行ってもよい。上記プログラムは、処理部２３０の動作（第１通信処理部２３１及び第２通信処理部２３３の動作）をプロセッサに実行させるためのプログラムであってもよい。
【００７０】
＜４．３．技術的特徴＞
次に、図７及び図８を参照して、第１の実施形態の技術的特徴を説明する。
【００７１】
第１の実施形態では、基地局１００（情報取得部１４１）は、基地局１００及び第１コアネットワークノード５１０の一方が他方に通知するトンネルエンドポイント識別子（ＴＥＩＤ）を取得する。そして、基地局１００（第１通信処理部１４３）は、ゲートウェイ２００に上記ＴＥＩＤを通知する。
【００７２】
一方、ゲートウェイ２００（第２通信処理部２３３）は、上記ＴＥＩＤに基づいて、上記ＴＥＩＤを含むヘッダを含むパケットを送信し又は受信する。
【００７３】
例えば、上記ＴＥＩＤは、ＧＴＰ  ＴＥＩＤである。
【００７４】
（１）ダウンリンク
（１−１）トンネルエンドポイント識別子（ＴＥＩＤ）
第１の例として、（基地局１００がゲートウェイ２００に通知する）上記ＴＥＩＤは、基地局１００が第１コアネットワークノード５１０に通知する基地局１００側のＴＥＩＤである。即ち、基地局１００は、第１コアネットワークノード５１０（例えばＭＭＥ）に基地局１００側のＴＥＩＤを通知するのに加えて、ゲートウェイ２００にも基地局１００側のＴＥＩＤを通知する。
【００７５】
基地局１００側の上記ＴＥＩＤは基地局１００により割り当て（assign）られ、コアネットワーク５００（第２コアネットワークノード５２０）から基地局１００へ送信されるパケットに含められる。基地局１００側のＴＥＩＤは、ダウンリンクのＴＥＩＤ（例えば、ＤＬ  ＧＴＰ  ＴＥＩＤ）とも言える。例えば、基地局１００はｅＮＢであり、基地局１００側の上記ＴＥＩＤは、ｅＮＢ  ＴＥＩＤである。
【００７６】
これにより、例えば、ゲートウェイ２００は、上記ＴＥＩＤをヘッダに含むパケットを受信し、上記ＴＥＩＤに対応するトンネル（例えばＧＴＰ−Ｕトンネル）を終端することが可能になる。そのため、後述するように、基地局１００によるヘッダの付替えが省略され、基地局１００の処理負荷が軽減され得る。
【００７７】
また、基地局１００が、ＴＥＩＤの割当て（assignment）、及び、第１コアネットワークノード５１０とのＴＥＩＤの交換を行うので、ゲートウェイ２００は、これらの動作を行わなくてもよい。そのため、第１コアネットワークノード５１０は、新たな動作を行う必要はない。このように、コアネットワーク５００への影響が抑えられ得る。
【００７８】
（１−２）データの送受信
基地局１００（第２通信処理部１４５）は、基地局１００側の上記ＴＥＩＤを含むヘッダと端末装置４００宛のデータとを含むパケットをコアネットワーク５００（第２コアネットワークノード５２０）から受信する。例えば、当該ヘッダは、ＧＴＰ−Ｕのヘッダであり、当該パケットは、ＧＴＰ−Ｕパケット（又はＵＤＰパケット）である。
【００７９】
−ＷＬＡＮ経由での送信
例えば、基地局１００（第１通信処理部１４３）は、上記ヘッダと上記データとを含む上記パケットをゲートウェイ２００へ送信する。即ち、基地局１００は、ヘッダの付替え（上記ヘッダの除去と新たなヘッダの付与）を行うことなく、上記パケットをゲートウェイ２００へ転送する。
【００８０】
例えば、ゲートウェイ２００（第２通信処理部２３３）は、基地局１００側の上記ＴＥＩＤに基づいて、基地局１００から上記パケットを受信する。その後、ゲートウェイ２００（第１通信処理部２３１）は、上記パケットに含まれる上記データをＷＬＡＮ（ＷＬＡＮ−ＡＰ３００）経由で端末装置４００へ送信する。
【００８１】
この場合には、上記ＴＥＩＤに対応するトンネル（例えばＧＴＰ−Ｕトンネル）の終端がゲートウェイ２００になる。即ち、当該トンネルの終端が基地局１００からゲートウェイ２００に延長される。
【００８２】
これにより、例えば、基地局１００によるヘッダの付替えが省略され、基地局１００の処理負荷が軽減される。
【００８３】
−直接的な送信
あるいは、基地局１００（第３通信処理部１４７）は、上記データを端末装置４００へ送信し得る。
【００８４】
この場合には、上記ＴＥＩＤに対応するトンネル（例えばＧＴＰ−Ｕトンネル）の終端は基地局１００になる。即ち、当該トンネルの終端は基地局１００に維持される。
【００８５】
−基地局１００による判定
例えば、基地局１００（制御部１４９）は、端末装置４００へ直接的に上記データを送信するか、又は、ＷＬＡＮ経由で端末装置４００へ上記データを送信するかを判定する。例えば、端末装置４００へ直接的に上記データを送信すると判定される場合には、基地局１００（第３通信処理部１４７）は、上記データを端末装置４００へ送信する。一方、例えば、ＷＬＡＮ（ＷＬＡＮ−ＡＰ３００）経由で端末装置４００へ上記データを送信すると判定される場合に、基地局１００（第１通信処理部１４３）は、上記ヘッダと上記データとを含む上記パケットを上記ゲートウェイへ送信する。
【００８６】
これにより、例えば、同一のＴＥＩＤを用いて、基地局１００から端末装置４００への直接的な送信と、ＷＬＡＮ経由での端末装置４００への送信とを行うことが可能になる。そのため、ＴＥＩＤの割当て及び交換等の処理が抑えられ得る。
【００８７】
例えば、基地局１００（制御部１４９）は、ユーザ単位又はサービス単位での要求品質、無線リソースの利用状況、及び／又はゲートウェイ２００又はＷＬＡＮ（ＷＬＡＮ−ＡＰ３００）の負荷状況等に基づいて、上述したような判定を行う。これにより、例えば、安定したサービスをユーザ（端末装置４００）に提供することが可能になる。
【００８８】
−プロトコルスタック
図７は、第１の実施形態のプロトコルスタックの例を説明するための説明図である。図７を参照すると、（図３の例と比べると）とりわけ、基地局１００（ｅＮＢ）は、ゲートウェイ２００のみのためのＧＴＰ−Ｕをもたない。
【００８９】
ＷＬＡＮ経由でのダウンリンク送信のケースでは、基地局１００は、コアネットワーク５００（第２コアネットワークノード５２０）から受信したＧＴＰ−Ｕパケット（又はＵＤＰパケット）を、ヘッダの付替えなしに（即ち透過的に）ゲートウェイ２００へ送信する。そして、ゲートウェイ２００は、基地局１００がゲートウェイ２００に予め通知したＴＥＩＤに基づいて、当該ＧＴＰ−Ｕパケット（又は当該ＵＤＰパケット）を受信する。このように、ＧＴＰ−Ｕは、ゲートウェイ２００で終端する。
【００９０】
一方、基地局１００からの直接的なダウンリンク送信のケースでは、基地局１００は、受信したＧＴＰ−ＵパケットからＧＴＰ−Ｕヘッダを除去し、残りのデータを端末装置４００へ送信する。このように、ＧＴＰ−Ｕは、基地局１００で終端する。
【００９１】
（１−３）マルチキャスト用のＴＥＩＤ
（基地局１００がゲートウェイ２００に通知する）上記ＴＥＩＤは、基地局１００側のＴＥＩＤの代わりに、マルチキャストのためのＴＥＩＤ（common  TEID）であってもよい。第１コアネットワークノード５１０が当該マルチキャストのための当該ＴＥＩＤを基地局１００に通知してもよい。上記マルチキャストのための上記ＴＥＩＤは、共通（Common）ＴＥＩＤ（Ｃ−ＴＥＩＤ）と呼ばれてもよい。上記マルチキャストは、ＭＢＭＳ（Multimedia  Broadcast  Multicast  Service）であってもよい。
【００９２】
上記マルチキャストのための上記ＴＥＩＤ（例えばＣ−ＴＥＩＤ）は、基地局１００側の上記ＴＥＩＤと同様に、データの送受信において用いられてもよい。即ち、データの送受信についての上記説明において、基地局１００側のＴＥＩＤがマルチキャストのためのＴＥＩＤに置きかえられてもよい。
【００９３】
（２）アップリンク
（２−１）トンネルエンドポイント識別子（ＴＥＩＤ）
第２の例として、（基地局１００がゲートウェイ２００に通知する）上記ＴＥＩＤは、第１コアネットワークノード５１０が基地局１００に通知するコアネットワーク５００側のＴＥＩＤである。即ち、基地局１００（第１通信処理部１４３）は、第１コアネットワークノード５１０（例えばＭＭＥ）が基地局１００に通知したコアネットワーク５００側のＴＥＩＤを、ゲートウェイ２００に通知する。
【００９４】
コアネットワーク５００側の上記ＴＥＩＤはコアネットワーク５００において割り当てられ、基地局１００からコアネットワーク５００（第２コアネットワークノード５２０）へ送信されるパケットに含められる。コアネットワーク５００側のＴＥＩＤは、アップリンクのＴＥＩＤ（例えば、ＵＬ  ＧＴＰ  ＴＥＩＤ）とも言える。例えば、コアネットワーク５００はＥＰＣであり、コアネットワーク５００側の上記ＴＥＩＤは、ＥＰＣ  ＴＥＩＤである。
【００９５】
これにより、例えば、ゲートウェイ２００は、上記ＴＥＩＤをヘッダに含むパケットを送信することが可能になる。そのため、後述するように、基地局１００によるヘッダの付替えが省略され、基地局１００の処理負荷が軽減され得る。
【００９６】
また、基地局１００が、コアネットワーク５００側のＴＥＩＤをゲートウェイ２００に通知するので、第１コアネットワークノード５１０は、新たな動作（例えばゲートウェイ２００へのＴＥＩＤの通知）を行う必要はない。また、コアネットワーク５００へ送信されるパケット（例えばＧＴＰ−Ｕパケット）の内容は変わらないので、第２コアネットワークノード５２０は、ゲートウェイ２００の存在に関係なく上記パケットを受信し得る。このように、コアネットワーク５００への影響が抑えられ得る。
【００９７】
（２−２）データの送受信
ゲートウェイ２００（第１通信処理部２３１）は、ＷＬＡＮ（ＷＬＡＮ−ＡＰ３００）経由で端末装置４００からのデータを受信する。そして、ゲートウェイ２００（第２通信処理部２３３）は、コアネットワーク５００側の上記ＴＥＩＤを含むヘッダと上記データとを含むパケットを基地局１００へ送信する。
【００９８】
基地局１００（第１通信処理部１４３）は、上記パケットをゲートウェイ２００から受信する。そして、基地局１００（第２通信処理部１４５）は、上記ヘッダと上記データとを含む上記パケットをコアネットワーク５００（第２コアネットワークノード５２０）へ送信する。即ち、基地局１００は、ヘッダの付替え（上記ヘッダの除去と新たなヘッダの付与）を行うことなく、上記パケットをコアネットワーク５００（第２コアネットワークノード５２０）へ転送する。
【００９９】
これにより、例えば、基地局１００によるヘッダの付替えが省略され、基地局１００の処理負荷が軽減される。
【０１００】
−プロトコルスタック
再び図７を参照すると、上述したように、（図３の例と比べると）とりわけ、基地局１００（ｅＮＢ）は、ゲートウェイ２００のみのためのＧＴＰ−Ｕをもたない。ゲートウェイ２００は、基地局１００がゲートウェイ２００に予め通知したＴＥＩＤを含むＧＴＰ−Ｕヘッダと端末装置４００から受信したデータとを含むＧＴＰ−Ｕパケットを生成し、当該ＧＴＰ−Ｕパケットを送信する。基地局１００は、当該ＧＴＰ−Ｕパケット（又はＵＤＰパケット）を、ヘッダの付替えなしに（即ち透過的に）コアネットワーク５００（第２コアネットワークノード５２０）へ送信する。
【０１０１】
（３）通知
上述したように、基地局１００（第１通信処理部１４３）は、ゲートウェイ２００に上記ＴＥＩＤを通知する。
【０１０２】
例えば、基地局１００（第１通信処理部１４３）は、上記ＴＥＩＤを含むメッセージをゲートウェイ２００へ送信する。基地局１００（第１通信処理部１４３）は、例えばフレームプロトコル（ＧＴＰ−Ｕ、ＧＲＥ、ＳＣＴＰ（Stream  Control  Transmission  Protocol）、ＴＣＰ（Transmission  Control  Protocol）、ＧＴＰｖ１−Ｃ（GTP  version  1  Control）、ＧＴＰｖ２−Ｃ（GTP  version  1  Control）、ＲＡＮＡＰ（Radio  Access  Network  Application  Part）、又はＳ１−ＡＰ（S1  Application  Protocol）等）を使用して、上記メッセージを送信し得る。
【０１０３】
一例として、上記メッセージは、ＴＥＩＤの設定のためのメッセージである。なお、基地局１００（第１通信処理部１４３）は、ＴＥＩＤの解放のためのメッセージをゲートウェイ２００へさらに送信してもよい。
【０１０４】
なお、基地局１００（情報取得部１４１）は、基地局１００側の上記ＴＥＩＤ及びコアネットワーク５００側の上記ＴＥＩＤの一方ではなく両方を取得してもよい。そして、基地局１００（第１通信処理部１４３）は、基地局１００側の上記ＴＥＩＤ及びコアネットワーク５００側の上記ＴＥＩＤの両方をゲートウェイ２００に通知してもよい。
【０１０５】
（４）サービス品質情報
例えば、基地局１００（情報取得部１４１）は、上記ＴＥＩＤと、上記ＴＥＩＤに対応するサービス品質情報（Quality  of  Service  Information）とを取得する。そして、基地局１００（第１通信処理部１４３）は、上記ＴＥＩＤと上記サービス品質情報とをゲートウェイ２００に通知する。
【０１０６】
例えば、上記サービス品質情報は、上記ＴＥＩＤから識別されるベアラのサービス品質クラス識別子（Quality  of  Service  Class  Identifier：ＱＣＩ）又はベアラ情報である。なお、上記サービス品質情報は、この例に限られず、他の情報（例えば、ＤＳＣＰ（DiffServ  Code  Point)）又はＩＰフロー等）であってもよい。
【０１０７】
ゲートウェイ２００（第１通信処理部２３１）は、上記サービス品質情報に基づいて、データの送受信についての優先制御を行ってもよい。
【０１０８】
これにより、安定したサービスをユーザ（端末装置４００）に提供され得る。
【０１０９】
（５）処理の流れ
図８を参照して、第１の実施形態に係る処理の例を説明する。図８は、第１の実施形態に係る処理の概略的な流れの例を説明するためのシーケンス図である。
【０１１０】
基地局１００は、ｅＮＢ  ＴＥＩＤ（＝“１００５”）及びＥＰＣ  ＴＥＩＤ（＝“２１００”）と、これらのＴＥＩＤから識別されるベアラのＱＣＩとを取得する（Ｓ６０１）。基地局１００は、ｅＮＢ  ＴＥＩＤを自ら割り当て、第１コアネットワークノード５１０によりＥＰＣ  ＴＥＩＤを通知される。
【０１１１】
基地局１００は、ＴＥＩＤの設定（set）のためのメッセージをゲートウェイ２００へ送信し、ゲートウェイ２００は、当該メッセージを受信する（Ｓ６０３）。当該メッセージは、ｅＮＢ  ＴＥＩＤ（＝“１００５”）及びＥＰＣ  ＴＥＩＤ（＝“２１００”）と上記ＱＣＩとを含む。
【０１１２】
ゲートウェイ２００は、ｅＮＢ  ＴＥＩＤ（＝“１００５”）及びＥＰＣ  ＴＥＩＤ（＝“２１００”）と上記ＱＣＩとを設定する（Ｓ６０５）。
【０１１３】
さらに、ゲートウェイ２００は、ＡＣＫ（Acknowledge）のメッセージを基地局１００へ送信し、基地局１００は、当該メッセージを受信する（Ｓ６０７）。
【０１１４】
その結果、基地局１００は、ｅＮＢ  ＴＥＩＤ（＝“１００５”）をＧＴＰ−Ｕヘッダ内に含むＧＴＰ−Ｕパケットを、ヘッダの付替えなしに（即ち透過的に）ゲートウェイ２００へ転送し、ゲートウェイ２００は、当該ＧＴＰ−Ｕパケットを受信するようになる。また、ゲートウェイ２００は、ＥＰＣ  ＴＥＩＤ（＝“２１００”）をＧＴＰ−Ｕヘッダ内に含むＧＴＰ−Ｕパケットを基地局１００へ送信し、基地局１００は、当該ＧＴＰ−Ｕパケットをヘッダの付替えなしに（即ち透過的に）第２コアネットワークノード５２０へ転送するようになる。
【０１１５】
その後、基地局１００は、ＴＥＩＤの解放（release）のためのメッセージをゲートウェイ２００へ送信し、ゲートウェイ２００は、当該メッセージを受信する（Ｓ６１１）。当該メッセージは、例えばｅＮＢ  ＴＥＩＤ（＝“１００５”）等を含む。
【０１１６】
ゲートウェイ２００は、ｅＮＢ  ＴＥＩＤ（＝“１００５”）及びＥＰＣ  ＴＥＩＤ（＝“２１００”）と上記ＱＣＩとを解放する（Ｓ６１３）。
【０１１７】
さらに、ゲートウェイ２００は、ＡＣＫのメッセージを基地局１００へ送信し、基地局１００は、当該メッセージを受信する（Ｓ６１５）。
【０１１８】
基地局１００も、ｅＮＢ  ＴＥＩＤ（＝“１００５”）及びＥＰＣ  ＴＥＩＤ（＝“２１００”）と上記ＱＣＩとを解放する（Ｓ６１７）。
【０１１９】
＜４．４．変形例＞
次に、図９及び図１０を参照して、第１の実施形態の変形例を説明する。
【０１２０】
上述したように、ゲートウェイ２００（第２通信処理部２３３）は、（基地局１００がゲートウェイ２００に通知する）上記ＴＥＩＤに基づいて、上記ＴＥＩＤを含むヘッダを含むパケットを送信し又は受信する。
【０１２１】
とりわけ第１の実施形態の変形例では、ゲートウェイ２００（第２通信処理部２３３）は、基地局１００を経由せずに、上記パケットをコアネットワーク５００へ送信し、又は上記コアネットワーク５００から受信する。
【０１２２】
これにより、ＷＬＡＮ（ＷＬＡＮ−ＡＰ３００）経由で送受信されるデータについては、基地局１００は何の処理も行わなくてもよいので、基地局１００の処理負荷がさらに軽減され得る。また、ネットワークトポロジがより柔軟になり得る。
【０１２３】
（１）ダウンリンク
例えば、第２コアネットワークノード５２０は、基地局１００側の上記ＴＥＩＤと端末装置４００宛のデータとを含むパケットを、基地局１００を経由せずにゲートウェイ２００へ送信する。そして、ゲートウェイ２００（第２通信処理部２３３）は、基地局１００側の上記ＴＥＩＤに基づいて、上記パケットを受信する。
【０１２４】
このように、第１の実施形態の変形例では、基地局１００側の上記ＴＥＩＤは、基地局１００を経由せずにコアネットワーク５００からゲートウェイ２００へ送信されるパケットに含まれる識別子である。
【０１２５】
図９は、第１の実施形態の変形例のプロトコルスタックの第１の例を説明するための説明図である。図９を参照すると、（図７の例と比べると）とりわけ、ゲートウェイ２００は、Ｓ１−Ｕインタフェースを有し、基地局１００側のＴＥＩＤをＧＴＰ−Ｕヘッダ内に含むパケットを、基地局１００を経由せずに第２コアネットワークノード５２０から受信する。
【０１２６】
なお、例えば、基地局１００（情報取得部１４１）は、基地局１００側の上記ＴＥＩＤと、ゲートウェイ２００のトランスポートレイヤアドレス（例えばＩＰアドレス）とを取得する。そして、基地局１００（第２通信処理部１４５）は、基地局１００側の上記ＴＥＩＤと上記トランスポートレイヤアドレスとを第１コアネットワークノード５１０に通知する。例えば、基地局１００は、基地局１００のトランスポートレイヤアドレスの代わりに、ゲートウェイ２００のトランスポートレイヤアドレスを第１コアネットワークノード５１０に通知する。これにより、例えば、第２コアネットワークノード５２０は、基地局１００を経由せずに、ゲートウェイ２００に直接的に上記パケットを送信することが可能になる。
【０１２７】
（２）アップリンク
例えば、ゲートウェイ２００（第２通信処理部２３３）は、コアネットワーク５００側の上記ＴＥＩＤと端末装置４００からのデータとを含むパケットを、基地局１００を経由せずに第２コアネットワークノード５２０へ送信する。
【０１２８】
このように、第１の実施形態の変形例では、コアネットワーク５００側の上記ＴＥＩＤは、基地局１００を経由せずにゲートウェイ２００からコアネットワーク５００へ送信されるパケットに含められる識別子である。
【０１２９】
再び図９を参照すると、（図７の例と比べると）とりわけ、ゲートウェイ２００は、Ｓ１−Ｕインタフェースを有し、コアネットワーク５００側のＴＥＩＤをＧＴＰ−Ｕヘッダ内に含むパケットを、基地局１００を経由せずに第２コアネットワークノード５２０へ送信する。
【０１３０】
なお、例えば、基地局１００（情報取得部１４１）は、コアネットワーク５００側のトランスポートレイヤアドレス（例えばＩＰアドレス）を取得する。そして、基地局１００（第１通信処理部１４３）は、上記トランスポートレイヤアドレスをゲートウェイ２００に通知する。例えば、当該トランスポートレイヤアドレスは、第２コアネットワークノード５２０（例えばＳ−ＧＷ）のトランスポートレイヤアドレスである。これにより、例えば、ゲートウェイ２００は、基地局１００を経由せずに、コアネットワーク５００（第２コアネットワークノード５２０）に直接的に上記パケットを送信することが可能になる。
【０１３１】
（３）バックホール側のセキュリティゲートウェイの利用
ゲートウェイ２００（第２通信処理部２３３）は、バックホール側のセキュリティゲートウェイ経由で、上記パケットをコアネットワーク５００へ送信し、又は上記コアネットワーク５００から受信してもよい。これにより、ゲートウェイ２００とコアネットワーク５００との間の通信のセキュリティが確保され得る。
【０１３２】
図１０は、第１の実施形態の変形例のプロトコルスタックの第２の例を説明するための説明図である。図１０を参照すると、（図９の例と比べると）とりわけ、ゲートウェイ２００は、バックホール側のセキュリティゲートウェイ（ＳｅＧＷ）経由で、パケットを第２コアネットワークノード５２０へ送信し、又は第２コアネットワークノード５２０から受信する。
【０１３３】
なお、基地局１００（情報取得部１４１）は、バックホール側の上記セキュリティゲートウェイとの接続のための接続情報を取得してもよい。そして、基地局１００（第１通信処理部１４３）は、上記接続情報をゲートウェイ２００に通知してもよい。ゲートウェイ２００（第２通信処理部２３３）は、上記接続情報に基づいて、バックホール側の上記セキュリティゲートウェイとの接続を確立してもよい。バックホール側の上記セキュリティゲートウェイとの上記接続は、セキュリティトンネル（例えば、ＩＰｓｅｃトンネル）であってもよい。上記接続情報は、バックホール側の上記セキュリティゲートウェイとの接続のための電子証明書を含んでもよい。これにより、例えば、バックホール側のセキュリティゲートウェイ経由でのパケットの送受信が可能になる。
【０１３４】
以上、第１の実施形態を説明した。第１の実施形態によれば、例えば、ＷＬＡＮ経由でのデータの送受信のケースにおいてコアネットワーク５００への影響を抑えつつ基地局１００の処理負荷を軽減することを可能になる。
【０１３５】
＜＜５．第２の実施形態＞＞
続いて、図１１及び図１２を参照して、本発明の第２の実施形態を説明する。上述した第１の実施形態は、具体的な実施形態であるが、第２の実施形態は、より一般化された実施形態である。
【０１３６】
＜５．１．基地局の構成＞
まず、図１１を参照して、第２の実施形態に係る基地局１００の構成の例を説明する。図１１は、第２の実施形態に係る基地局１００の概略的な構成の例を示すブロック図である。図１１を参照すると、基地局１００は、情報取得部１５１及び第１通信処理部１５３を備える。
【０１３７】
情報取得部１５１及び第１通信処理部１５３の具体的な動作は、後に説明する。
【０１３８】
情報取得部１５１及び第１通信処理部１５３は、ベースバンド（ＢＢ）プロセッサ及び／又は他のプロセッサ等により実装されてもよい。情報取得部１５１及び第１通信処理部１５３は、同一のプロセッサにより実装されてもよく、別々に異なるプロセッサにより実装されてもよい。
【０１３９】
基地局１００は、プログラムを記憶するメモリと、当該プログラムを実行可能な１つ以上のプロセッサとを含んでもよく、当該１つ以上のプロセッサは、情報取得部１５１及び第１通信処理部１５３の動作を行ってもよい。上記プログラムは、情報取得部１５１及び第１通信処理部１５３の動作をプロセッサに実行させるためのプログラムであってもよい。
【０１４０】
＜５．２．ゲートウェイの構成＞
まず、図１２を参照して、第２の実施形態に係るゲートウェイ２００の構成の例を説明する。図１２は、第２の実施形態に係るゲートウェイ２００の概略的な構成の例を示すブロック図である。図１２を参照すると、ゲートウェイ２００は、第１通信処理部２４１及び第２通信処理部２４３を備える。
【０１４１】
第１通信処理部２４１及び第２通信処理部２４３の具体的な動作は、後に説明する。
【０１４２】
第１通信処理部２４１及び第２通信処理部２４３は、プロセッサ等により実装されてもよい。第１通信処理部２４１及び第２通信処理部２４３は、同一のプロセッサにより実装されてもよく、別々に異なるプロセッサにより実装されてもよい。
【０１４３】
ゲートウェイ２００は、プログラムを記憶するメモリと、当該プログラムを実行可能な１つ以上のプロセッサとを含んでもよく、当該１つ以上のプロセッサは、第１通信処理部２４１及び第２通信処理部２４３の動作を行ってもよい。上記プログラムは、第１通信処理部２４１及び第２通信処理部２４３の動作をプロセッサに実行させるためのプログラムであってもよい。
【０１４４】
＜５．３．技術的特徴＞
次に、第２の実施形態の技術的特徴を説明する。
【０１４５】
第２の実施形態では、基地局１００（情報取得部１５１）は、基地局１００及び第１コアネットワークノード５１０の一方が他方に通知するトンネルエンドポイント識別子（ＴＥＩＤ）を取得する。そして、基地局１００（第１通信処理部１５３）は、ゲートウェイ２００に上記ＴＥＩＤを通知する。
【０１４６】
一方、ゲートウェイ２００（第２通信処理部２４３）は、上記ＴＥＩＤに基づいて、上記ＴＥＩＤを含むヘッダを含むパケットを送信し又は受信する。
【０１４７】
ダウンリンク及びアップリンクの各々についてのＴＥＩＤ並びにデータの送受信、通知、サービス品質情報、並びに処理の流れについての説明は、例えば、一部の符号の相違を除き、第１の実施形態におけるこれらについての説明と同じである。よって、ここでは重複する説明を省略する。
【０１４８】
以上、第２の実施形態を説明した。第２の実施形態によれば、例えば、ＷＬＡＮ経由でのデータの送受信のケースにおいてコアネットワーク５００への影響を抑えつつ基地局１００の処理負荷を軽減することを可能になる。
【０１４９】
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０１５０】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０１５１】
また、本明細書において説明した基地局の構成要素（例えば、情報取得部、第１通信処理部、第２通信処理部、第３通信処理部及び／又は制御部）を備える装置（例えば、基地局を構成する複数の装置（又はユニット）のうちの１つ以上の装置（又はユニット）、又は上記複数の装置（又はユニット）のうちの１つのためのモジュール）が提供されてもよい。本明細書において説明したゲートウェイの構成要素（例えば、第１通信処理部及び／又は第２通信処理部）を備える装置（例えば、ゲートウェイのためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このような装置、方法、プログラム、及びコンピュータに読み取り可能な非一時的記録媒体も本発明に含まれる。
【０１５２】
上記実施形態の一部又は全部は、以下の付記のようにも記載され得るが、以下には限られない。
【０１５３】
（付記１）
基地局であって、
前記基地局及びコアネットワークノードの一方が他方に通知するトンネルエンドポイント識別子を取得する情報取得部と、
無線ローカルエリアネットワーク経由での通信に用いられるゲートウェイに、前記トンネルエンドポイント識別子を通知する第１通信処理部と、
を備える基地局。
【０１５４】
（付記２）
前記トンネルエンドポイント識別子は、前記基地局が前記コアネットワークノードに通知する前記基地局側のトンネルエンドポイント識別子である、付記１に記載の基地局。
【０１５５】
（付記３）
前記基地局は、ｅＮＢ（evolved  Node  B）であり、
前記基地局側の前記トンネルエンドポイント識別子は、ｅＮＢ  ＴＥＩＤ（Tunnel  Endpoint  Identifier）である、
付記２に記載の基地局。
【０１５６】
（付記４）
前記トンネルエンドポイント識別子を含むヘッダと端末装置宛のデータとを含むパケットをコアネットワークから受信する第２通信処理部をさらに備え、
前記第１通信処理部は、前記ヘッダと前記データとを含む前記パケットを前記ゲートウェイへ送信する、
付記１〜３のいずれか１項に記載の基地局。
【０１５７】
（付記５）
前記トンネルエンドポイント識別子を含むヘッダと端末装置宛のデータとを含むパケットをコアネットワークから受信する第２通信処理部と、
前記端末装置へ直接的に前記データを送信するか、又は、前記無線ローカルエリアネットワーク経由で前記端末装置へ前記データを送信するかを判定する制御部と、
をさらに備える、
付記１〜４のいずれか１項に記載の基地局。
【０１５８】
（付記６）
前記端末装置へ直接的に前記データを送信すると判定される場合に、前記データを前記端末装置へ送信する第３通信処理部、をさらに備え、
前記第１通信処理部は、前記無線ローカルエリアネットワーク経由で前記端末装置へ前記データを送信すると判定される場合に、前記ヘッダと前記データとを含む前記パケットを前記ゲートウェイへ送信する、
付記５に記載の基地局。
【０１５９】
（付記７）
前記トンネルエンドポイント識別子は、前記基地局を経由せずにコアネットワークから前記ゲートウェイへ送信されるパケットに含められる識別子である、付記１〜３のいずれか１項に記載の基地局。
【０１６０】
（付記８）
前記情報取得部は、前記トンネルエンドポイント識別子と、前記ゲートウェイのトランスポートレイヤアドレスとを取得し、
前記基地局は、前記トンネルエンドポイント識別子と前記トランスポートレイヤアドレスとを前記コアネットワークノードに通知する第２通信処理部をさらに備える、
付記１、２、３又は７に記載の基地局。
【０１６１】
（付記９）
前記トンネルエンドポイント識別子は、前記コアネットワークノードが前記基地局に通知するコアネットワーク側のトンネルエンドポイント識別子である、付記１に記載の基地局。
【０１６２】
（付記１０）
前記コアネットワークは、ＥＰＣ（Evolved  Packet  Core）であり、
前記コアネットワーク側の前記トンネルエンドポイント識別子は、ＥＰＣ  ＴＥＩＤである、
付記９に記載の基地局。
【０１６３】
（付記１１）
前記第１通信処理部は、前記トンネルエンドポイント識別子を含むヘッダと端末装置からのデータとを含むパケットを前記ゲートウェイから受信し、
前記基地局は、前記ヘッダと前記データとを含む前記パケットをコアネットワークへ送信する第２通信処理部をさらに備える、
付記１、９又は１０に記載の基地局。
【０１６４】
（付記１２）
前記トンネルエンドポイント識別子は、前記基地局を経由せずに前記ゲートウェイからコアネットワークへ送信されるパケットに含められる識別子である、付記１、９又は１０に記載の基地局。
【０１６５】
（付記１３）
前記情報取得部は、コアネットワーク側のトランスポートレイヤアドレスを取得し、
前記第１通信処理部は、前記トランスポートレイヤアドレスを前記ゲートウェイに通知する、
付記１、９、１０又は１２に記載の基地局。
【０１６６】
（付記１４）
前記コアネットワーク側の前記トランスポートレイヤアドレスは、前記コアネットワークに含まれるサービングゲートウェイのトランスポートレイヤアドレスである、付記１３に記載の基地局。
【０１６７】
（付記１５）
前記情報取得部は、前記トンネルエンドポイント識別子と、前記トンネルエンドポイント識別子に対応するサービス品質情報とを取得し、
前記第１通信処理部は、前記トンネルエンドポイント識別子と、前記サービス品質情報とを前記ゲートウェイに通知する、
付記１〜１４のいずれか１項に記載の基地局。
【０１６８】
（付記１６）
前記サービス品質情報は、前記トンネルエンドポイント識別子から識別されるベアラのサービス品質クラス識別子である、付記１５に記載の基地局。
【０１６９】
（付記１７）
前記情報取得部は、バックホール側のセキュリティゲートウェイとの接続のための接続情報を取得し、
前記第１通信処理部は、前記接続情報を前記ゲートウェイに通知し、
バックホール側の前記セキュリティゲートウェイは、前記ゲートウェイ及びコアネットワークの一方から他方へデータが送信されるのに経由するゲートウェイである、
付記１〜１６のいずれか１項に記載の基地局。
【０１７０】
（付記１８）
前記接続情報は、バックホール側の前記セキュリティゲートウェイとの接続のための電子証明書を含む、付記１７に記載の基地局。
【０１７１】
（付記１９）
前記トンネルエンドポイント識別子は、ＧＴＰ（GPRS  Tunneling  Protocol）  ＴＥＩＤである、付記１〜１８のいずれか１項に記載の基地局。
【０１７２】
（付記２０）
前記基地局は、ｅＮＢであり、
前記コアネットワークノードは、ＭＭＥ（Mobility  Management  Entity）である、
付記１〜１９のいずれか１項に記載の基地局。
【０１７３】
（付記２１）
前記ゲートウェイは、無線ローカルエリアネットワーク経由での通信のセキュリティを確保するためのセキュリティゲートウェイである、付記１〜２０のいずれか１項に記載の基地局。
【０１７４】
（付記２２）
前記ゲートウェイは、ＬＷＩＰ−ＳｅＧＷ（LTE  WLAN  RAN  Level  Integration  using  IPSec  Security  Gateway）である、付記２１に記載の基地局。
【０１７５】
（付記２３）
ゲートウェイであって、
無線ローカルエリアネットワーク経由で端末装置と通信する第１通信処理部と、
基地局及びコアネットワークノードの一方が他方に通知し、且つ前記基地局が前記ゲートウェイに通知するトンネルエンドポイント識別子に基づいて、前記トンネルエンドポイント識別子を含むヘッダを含むパケットを送信し又は受信する第２通信処理部と、
を備えるゲートウェイ。
【０１７６】
（付記２４）
前記トンネルエンドポイント識別子は、前記基地局が前記コアネットワークノードに通知する前記基地局側のトンネルエンドポイント識別子であり、
前記第２通信処理部は、前記トンネルエンドポイント識別子に基づいて、前記トンネルエンドポイント識別子を含むヘッダと前記端末装置宛のデータとを含むパケットを受信する、
付記２３に記載のゲートウェイ。
【０１７７】
（付記２５）
前記トンネルエンドポイント識別子は、前記コアネットワークノードが前記基地局に通知するコアネットワーク側のトンネルエンドポイント識別子であり、
前記第２通信処理部は、前記トンネルエンドポイント識別子を含むヘッダと前記端末装置からのデータとを含むパケットを送信する、
付記２３に記載のゲートウェイ。
【０１７８】
（付記２６）
前記第２通信処理部は、前記パケットを前記基地局へ送信し、又は前記基地局から受信する、付記２３〜２５のいずれか１項に記載のゲートウェイ。
【０１７９】
（付記２７）
前記第２通信処理部は、前記基地局を経由せずに、前記パケットをコアネットワークへ送信し、又は前記コアネットワークから受信する、付記２３〜２５のいずれか１項に記載のゲートウェイ。
【０１８０】
（付記２８）
前記第２通信処理部は、バックホール側のセキュリティゲートウェイ経由で、前記パケットを前記コアネットワークへ送信し、又は前記コアネットワークから受信する、付記２７に記載のゲートウェイ。
【０１８１】
（付記２９）
前記第２通信処理部は、バックホール側の前記セキュリティゲートウェイとの接続のための接続情報であって、前記基地局が前記ゲートウェイに通知する前記接続情報に基づいて、バックホール側のセキュリティゲートウェイとの接続を確立する、付記２８に記載のゲートウェイ。
【０１８２】
（付記３０）
基地局及びコアネットワークノードの一方が他方に通知するトンネルエンドポイント識別子を取得することと、
無線ローカルエリアネットワーク経由での通信に用いられるゲートウェイに、前記トンネルエンドポイント識別子を通知することと、
を含む方法。
【０１８３】
（付記３１）
基地局及びコアネットワークノードの一方が他方に通知するトンネルエンドポイント識別子を取得することと、
無線ローカルエリアネットワーク経由での通信に用いられるゲートウェイに、前記トンネルエンドポイント識別子を通知することと、
をプロセッサに実行させるためのプログラム。
【０１８４】
（付記３２）
基地局及びコアネットワークノードの一方が他方に通知するトンネルエンドポイント識別子を取得することと、
無線ローカルエリアネットワーク経由での通信に用いられるゲートウェイに、前記トンネルエンドポイント識別子を通知することと、
をプロセッサに実行させるためのプログラムを記録したコンピュータに読み取り可能な非一時的記録媒体。
【０１８５】
（付記３３）
基地局及びコアネットワークノードの一方が他方に通知するトンネルエンドポイント識別子を取得する情報取得部と、
無線ローカルエリアネットワーク経由での通信に用いられるゲートウェイに、前記トンネルエンドポイント識別子を通知する第１通信処理部と、
を備える装置。
【０１８６】
（付記３４）
プログラムを記憶するメモリと、
前記プログラムを実行可能な１つ以上のプロセッサと、
を備え、
前記プログラムは、
基地局及びコアネットワークノードの一方が他方に通知するトンネルエンドポイント識別子を取得することと、
無線ローカルエリアネットワーク経由での通信に用いられるゲートウェイに、前記トンネルエンドポイント識別子を通知することと、
をプロセッサに実行させるためのプログラムである、
装置。
【０１８７】
（付記３５）
メモリと、
１つ以上のプロセッサと、
を備え、
前記１つ以上のプロセッサは、
基地局及びコアネットワークノードの一方が他方に通知するトンネルエンドポイント識別子を取得し、
無線ローカルエリアネットワーク経由での通信に用いられるゲートウェイに、前記トンネルエンドポイント識別子を通知する、
装置。
【０１８８】
（付記３６）
前記装置は、前記基地局、前記基地局を構成する複数の装置のうちの１つ以上の装置、又は当該複数の装置のうちの１つのためのモジュールである、付記３３〜３５のいずれか１項に記載の装置。
【０１８９】
（付記３７）
無線ローカルエリアネットワーク経由で端末装置と通信することと、
基地局及びコアネットワークノードの一方が他方に通知し、且つ前記基地局がゲートウェイに通知するトンネルエンドポイント識別子に基づいて、前記トンネルエンドポイント識別子を含むヘッダを含むパケットを送信し又は受信することと、
を含む方法。
【０１９０】
（付記３８）
無線ローカルエリアネットワーク経由で端末装置と通信することと、
基地局及びコアネットワークノードの一方が他方に通知し、且つ前記基地局がゲートウェイに通知するトンネルエンドポイント識別子に基づいて、前記トンネルエンドポイント識別子を含むヘッダを含むパケットを送信し又は受信することと、
をプロセッサに実行させるためのプログラム。
【０１９１】
（付記３９）
無線ローカルエリアネットワーク経由で端末装置と通信することと、
基地局及びコアネットワークノードの一方が他方に通知し、且つ前記基地局がゲートウェイに通知するトンネルエンドポイント識別子に基づいて、前記トンネルエンドポイント識別子を含むヘッダを含むパケットを送信し又は受信することと、
をプロセッサに実行させるためのプログラムを記録したコンピュータに読み取り可能な非一時的記録媒体。
【０１９２】
（付記４０）
無線ローカルエリアネットワーク経由で端末装置と通信する第１通信処理部と、
基地局及びコアネットワークノードの一方が他方に通知し、且つ前記基地局がゲートウェイに通知するトンネルエンドポイント識別子に基づいて、前記トンネルエンドポイント識別子を含むヘッダを含むパケットを送信し又は受信する第２通信処理部と、
を備える装置。
【０１９３】
（付記４１）
プログラムを記憶するメモリと、
前記プログラムを実行可能な１つ以上のプロセッサと、
を備え、
前記プログラムは、
無線ローカルエリアネットワーク経由で端末装置と通信することと、
基地局及びコアネットワークノードの一方が他方に通知し、且つ前記基地局がゲートウェイに通知するトンネルエンドポイント識別子に基づいて、前記トンネルエンドポイント識別子を含むヘッダを含むパケットを送信し又は受信することと、
をプロセッサに実行させるためのプログラムである、
装置。
【０１９４】
（付記４２）
メモリと、
１つ以上のプロセッサと、
を備え、
前記１つ以上のプロセッサは、
無線ローカルエリアネットワーク経由で端末装置と通信し、
基地局及びコアネットワークノードの一方が他方に通知し、且つ前記基地局がゲートウェイに通知するトンネルエンドポイント識別子に基づいて、前記トンネルエンドポイント識別子を含むヘッダを含むパケットを送信し又は受信する、
装置。
【０１９５】
（付記４３）
前記装置は、前記ゲートウェイ、又は前記ゲートウェイのためのモジュールである、付記４０〜４２のいずれか１項に記載の装置。
【０１９６】
この出願は、２０１６年１１月２日に出願された日本出願特願２０１６−２１５２１８を基礎とする優先権を主張し、その開示の全てをここに取り込む。
【産業上の利用可能性】
【０１９７】
移動体通信システムにおいて、コアネットワークへの影響を抑えつつ基地局の処理負荷を軽減することができる。
【符号の説明】
【０１９８】
１              システム
１００          基地局
１４１、１５１  情報取得部
１４３、１５３  第１通信処理部
１４５          第２通信処理部
１４７          第３通信処理部
１４９          制御部
２００          ゲートウェイ
２３１、２４１  第１通信処理部
２３３、２４３  第２通信処理部
３００          ＷＬＡＮ−ＡＰ（Wireless  Local  Area  Network  Access  Point）
４００          端末装置
５００          コアネットワーク
５１０          第１コアネットワークノード
５２０          第２コアネットワークノード
【図１】
0006747515.tif 000002
【図２】
0006747515.tif 000003
【図３】
0006747515.tif 000004
【図４】
0006747515.tif 000005
【図５】
0006747515.tif 000006
【図６】
0006747515.tif 000007
【図７】
0006747515.tif 000008
【図８】
0006747515.tif 000009
【図９】
0006747515.tif 000010
【図１０】
0006747515.tif 000011
【図１１】
0006747515.tif 000012
【図１２】
0006747515.tif 000013